(57)【要約】【課題】位置データログにより、コミュニティの幅広い検索を容易にし、参加しやすいコミュニティの生成・登録システム、その方法、サーバ、携帯通信端末、およびそれらのプログラムを提供すること。【解決手段】携帯通信端末１０とサーバ７０、８０、９０により構成されたＷｅｂサイトにおいてコミュニティの生成・登録をするコミュニティ生成・登録システムであって、前記携帯通信端末１０は、前記携帯通信端末の位置する位置データを取得する位置データログ取得部と、取得した位置データログを送信する送信部と、を備え、前記サーバは、前記位置データログを受信する受信部と、受信した前記位置データログをコミュニティの生成・登録に利用する生成・登録部と、を備えるコミュニティのコミュニティ生成・登録システム。【選択図】図１
2007306409.tif 000002
【特許請求の範囲】
【請求項１】
携帯通信端末とサーバにより構成されたＷｅｂサイトにおいてコミュニティの生成・登録をするコミュニティ生成・登録システムであって、
前記携帯通信端末は、
前記携帯通信端末の位置する位置データを取得する位置データログ取得部と、
取得した位置データログを送信する送信部と、
を備え、
前記サーバは、
前記位置データログを受信する受信部と、
受信した前記位置データログをコミュニティの生成・登録に利用する生成・登録部と、
を備えるコミュニティのコミュニティ生成・登録システム。
【請求項２】
前記携帯通信端末は、一定期間分の前記位置データログを送信し、
前記サーバは、受信された一定期間分の前記位置データログからあらかじめ定められた回数以上位置データログが記録されるスポットを抽出する抽出部と、
前記抽出部が抽出したスポットが関係するコミュニティを検索する検索部と、
をさらに備える請求項１に記載のコミュニティ生成・登録システム。
【請求項３】
前記検索部による検索結果、既存のコミュニティがない場合で、一定期間分の前記位置データログの近傍の地図上にコミュニティの対象となりえるスポットが存在する場合は、前記生成・登録部は当該スポットに関係するコミュニティをさらに生成する請求項２に記載のコミュニティ生成・登録システム。
【請求項４】
前記携帯通信端末は、使用者がコミュニティの対象としたいスポットの空間的範囲を設定できる範囲設定手段を備え、
前記位置データログが設定された前記空間的範囲の内にあらかじめ定められた時間存在する回数を前記使用者の訪問回数とする請求項２または３に記載の生成・登録システム。
【請求項５】
前記サーバは、
前記位置データログを記憶するサーバ記憶部と、
前記携帯通信端末に送信する送信部と、
をさらに備え、
前記サーバ記憶部には、あらかじめ定められた期間の位置データログを記憶し、前記抽出部は記憶された前記位置データログからあらかじめ定められた回数以上位置データログが記録されるスポットを抽出し、前記検索部は前記抽出部が抽出したスポットが関係するコミュニティを検索し、当該コミュニティへの参加要請を前記送信部は前記携帯通信端末に送信する請求項２に記載のコミュニティ生成・登録システム。
【請求項６】
前記サーバは、
前記サーバ記憶部にはコミュニティと当該コミュニティに関連するスポットと当該コミュニティの参加者をさらに記憶し、
前記参加者の記憶された前記位置データログから前記関連するスポットの設定された空間的範囲の内にあらかじめ定められた時間存在する回数を前記参加者の訪問回数として計数する訪問回数計数部と、
前記訪問回数に関連するランキング設定部と、
をさらに備えた請求項５に記載のコミュニティ生成・登録システム。
【請求項７】
前記携帯通信端末は、
予め金額を記憶し該金額で購入できる電子マネー部と、
前記電子マネー部で購入した商品・サービスを前記位置データログに関連つけて記憶する購入履歴部と、
をさらに備え、
前記サーバは、
どこで何を買ったかに基づいて対象コミュニティを検索する購入履歴検索部をさらに備える請求項１から５に記載のコミュニティ生成・登録システム。
【請求項８】
請求項２に記載の携帯通信端末と通信可能なサーバであって、
一定期間分の位置データログを受信する受信部と、
受信された一定期間分の前記位置データログからあらかじめ定められた回数以上位置データログが記録されるスポットを抽出する抽出部と、
前記抽出部が抽出したスポットが関係するコミュニティを検索する検索部と、
受信された一定期間分の前記位置データログと前記検索部による検索結果をコミュニティの生成・登録に利用する生成・登録部と、
を備えるサーバ。
【請求項９】
前記検索部による検索結果、既存のコミュニティがない場合で、一定期間分の前記位置データログの近傍の地図上にコミュニティの対象となりえるスポットが存在する場合は、前記生成・登録部は当該スポットに関係するコミュニティをさらに生成する請求項８に記載のサーバ。
【請求項１０】
前記位置データログを記憶するサーバ記憶部と、
前記携帯通信端末に送信する送信部と、
をさらに備え、
前記サーバ記憶部には、あらかじめ定められた期間の位置データログを記憶し、前記抽出部は記憶された前記位置データログからあらかじめ定められた高頻度の回数以上位置データログが記録されるスポットを抽出し、前記検索部は前記抽出部が抽出したスポットが関係するコミュニティを検索し、当該コミュニティ（への参加要請）を前記送信部は前記携帯通信端末に送信する請求項８に記載のサーバ。
【請求項１１】
前記サーバ記憶部にはコミュニティと当該コミュニティに関連するスポットと当該コミュニティの参加者をさらに記憶し、
前記参加者の記憶された前記位置データログから前記関連するスポットの設定された空間的範囲の内にあらかじめ定められた時間存在する回数を前記参加者の訪問回数として計数する訪問回数計数部と、
前記訪問回数に関連するランキング設定部と、
をさらに備えた請求項１０に記載のサーバ。
【請求項１２】
請求項７に記載の携帯通信端末と通信可能なサーバであって、
どこで何を買ったかに基づいて対象コミュニティを検索する購入履歴検索部をさらに備える請求項８から１１に記載のサーバ。
【請求項１３】
携帯通信端末とサーバにより構成されたＷｅｂサイトにおいてコミュニティの生成・登録をするコミュニティ生成・登録方法であって、
前記携帯通信端末は、
前記携帯通信端末の位置する位置データを継続して取得する位置データログ取得ステップと、
継続して取得した位置データログを送信する送信ステップと、
を備え、
前記サーバは、
前記位置データログを受信する受信ステップと、
受信した前記位置データログをコミュニティの生成・登録に利用する生成・登録ステップと、
を備えるコミュニティのコミュニティ生成・登録方法。
【請求項１４】
前記携帯通信端末には、一定期間分の前記位置データログを送信するステップと、
前記サーバは、受信された一定期間分の前記位置データログからあらかじめ定められた回数以上位置データログが記録されるスポットを抽出する抽出ステップと、
前記抽出ステップが抽出したスポットが関係するコミュニティを検索する検索ステップと、
をさらに備える請求項１３に記載のコミュニティ生成・登録方法。
【請求項１５】
携帯通信端末とサーバにより構成されたＷｅｂサイトにおいてコミュニティの生成・登録をするコミュニティ生成・登録システムに使用される前記携帯通信端末用のプログラムであって、
前記携帯通信端末に、
前記携帯通信端末の位置する位置データを継続して取得する位置データログ取得ステップと、
継続して取得した位置データログを送信する送信ステップと、
を実行させるプログラム。
【請求項１６】
携帯通信端末とサーバにより構成されたＷｅｂサイトにおいてコミュニティの生成・登録をするコミュニティ生成・登録システムに使用される前記サーバ用のコンピュータ・プログラムであって、
前記サーバに、
前記携帯通信端末より送信される位置データログを受信する受信ステップと、
受信した前記位置データログをコミュニティの生成・登録に利用する生成・登録ステップと、
を実行させるコンピュータ・プログラム。
【発明の詳細な説明】
【技術分野】
【０００１】
本発明は、位置情報ログによるコミュニティの生成・登録システム、その方法、サーバ、携帯通信端末、およびそれらのプログラムに関する。
【背景技術】
【０００２】
参加者が互いに友人を紹介しあって、Ｗｅｂ上で新たな友人関係を広げることを目的に開設された、ＳＮＳ（Ｓｏｃｉａｌ  Ｎｅｔｗｏｒｋｉｎｇ  Ｓｉｔｅ）等のサービスが普及しつつある。
【０００３】
これらのサービスでは、自分のプロフィールや写真を公開する機能や、新しくできた「友人」を登録するアドレス帳、友人に別の友人を紹介する機能、サイト内の友人のみ閲覧できる日記帳、友人間でのメッセージ交換に使う掲示板やカレンダーなどの機能が提供される。
【０００４】
関連する従来技術としては、自分の現在位置を測位検出可能な移動体通信端末により検出し、人の位置情報を連続的に取得して得られた軌跡情報を収集し、これを分析することにより、人の流れの傾向をより詳細に出力する提案がなされている（特許文献１参照）。また、作成者の情報収集作業や編集作成作業、更新作業の手間をかけることなく、旅行記などの自身の行動記録を作成する行動記録自動作業システムも提案されている（特許文献２参照）。
【特許文献１】特開２０００−３２２４０２号公報
【特許文献２】特開２００３−２８８３５４号公報
【発明の開示】
【発明が解決しようとする課題】
【０００５】
しかし従来の技術では、自分の興味があるコミュニティをキーワード等で検索して探さなければならなかった。その為、自分の興味があるコミュニティについて、自分が把握している範囲内でしか検索したり生成したりすることができなかった。
【０００６】
本発明は、位置データログによるコミュニティの生成・登録により、コミュニティの幅広い検索を容易にし、参加しやすいコミュニティの生成・登録システム、その方法、サーバ、携帯通信端末、およびそれらのプログラムを提供することを目的とする。
【課題を解決するための手段】
【０００７】
本発明者らは、自己が良く立ち寄るスポットに関連するコミュニティを、保有する携帯通信端末の位置データログを用いて行うことが合理的であることを見出し、以下の本発明を完成するに至った。
【０００８】
（１）  携帯通信端末とサーバにより構成されたＷｅｂサイトにおいてコミュニティの生成・登録をするコミュニティ生成・登録システムであって、前記携帯通信端末は、前記携帯通信端末の位置する位置データを取得する位置データログ取得部と、取得した位置データログを送信する送信部と、を備え、前記サーバは、前記位置データログを受信する受信部と、受信した前記位置データログをコミュニティの生成・登録に利用する生成・登録部と、を備えるコミュニティのコミュニティ生成・登録システム。
【０００９】
（１）の発明によれば、携帯通信端末の位置する位置データを継続して取得する位置データログ取得部と、継続して取得した位置データログを送信する送信部と、を備えている。したがって、自己の立ち寄ったスポット等に関連する位置データログを把握することができる。この位置データログを受信したサーバは、この位置データログを利用してコミュニティの生成・登録を行う。したがって、自己に何らかの関係があり、関心を持てそうなコミュニティの生成・登録を行うことの助けとなる。
【００１０】
ここで、位置データログ取得部は、ＧＰＳ（Ｇｌｏｂａｌ  Ｐｏｓｉｔｉｏｎｉｎｇ  Ｓｙｓｔｅｍ：全地球測位システム）を用いたものが望ましいが、ＰＨＳ（Ｐｅｒｓｏｎａｌ  Ｈａｎｄｙｐｈｏｎｅ  Ｓｙｓｔｅｍ）基地局網を利用したものでも良い。また、携帯電話機で使用されているゾーン情報を利用する方法でも良い。
【００１１】
（２）  前記携帯通信端末は、一定期間分の前記位置データログを送信し、前記サーバは、受信された一定期間分の前記位置データログからあらかじめ定められた回数以上位置データログが記録されるスポットを抽出する抽出部と、前記抽出部が抽出したスポットが関係するコミュニティを検索する検索部と、をさらに備える請求項１に記載のコミュニティ生成・登録システム。
【００１２】
（２）に記載の発明によれば、サーバに備えられた抽出部は一定期間分の位置データログからあらかじめ定められた回数以上位置データログが記録されるスポットを抽出する。また、検索部は抽出部が抽出したスポットが関係するコミュニティを検索する。したがって、携帯通信端末の使用者が良く行くスポットが抽出され、そのスポットに関連したコミュニティが検索される。検索されたコミュニティは携帯通信端末の使用者に通知される。通知されたコミュニティの中から、使用者は自分にあっていると思うコミュニティへの参加を申請して登録することができる。なお、使用者に通知しないで新しいコミュニティを生成し登録することもできる。本人が当初はそのコミュニティを意識しないが後で普及するコミュニティもありえるからである。
【００１３】
（３）  前記検索部による検索結果、既存のコミュニティがない場合で、一定期間分の前記位置データログの近傍の地図上にコミュニティの対象となりえるスポットが存在する場合は、前記生成・登録部は当該スポットに関係するコミュニティをさらに生成する（２）に記載のコミュニティ生成・登録システム。
【００１４】
（３）に記載の発明によれば、既存のコミュニティがない場合でも、携帯通信端末の使用者の一定期間分の位置データログの近傍の地図上にコミュニティの対象となりえるスポットが存在する場合は、生成・登録部は当該スポットに関係するコミュニティをさらに生成する。したがって、既存のコミュニティにとらわれず、新しいコミュニティが生成され、新たな友人関係などが生まれ、人生が豊かになる利点がある。
【００１５】
（４）  前記携帯通信端末は、使用者がコミュニティの対象としたいスポットの空間的範囲を設定できる範囲設定手段を備え、前記位置データログが設定された前記空間的範囲の内にあらかじめ定められた時間存在する回数を前記使用者の訪問回数とする（２）または（３）に記載の生成・登録システム。
【００１６】
（４）に記載の発明によれば、携帯通信端末の使用者がコミュニティの対象としたいスポットの空間的範囲を設定できる。スポットの性質によって空間的範囲も異なる。したがって、使用者が適切と思う空間的範囲を設定することにより訪問したとする回数を適正化することができる。なお、空間的範囲の設定は携帯通信端末の使用者だけでなくコミュニティを管理している管理者が行っても良い。また、空間的範囲を設定は対象スポットを中心として円などで範囲設定することが考えられるが、地図から通常人が立ち入る範囲で設定してもよい。
【００１７】
（５）  前記サーバは、前記位置データログを記憶するサーバ記憶部と、前記携帯通信端末に送信する送信部と、をさらに備え、前記サーバ記憶部には、あらかじめ定められた期間の位置データログを記憶し、前記抽出部は記憶された前記位置データログからあらかじめ定められた回数以上位置データログが記録されるスポットを抽出し、前記検索部は前記抽出部が抽出したスポットが関係するコミュニティを検索し、当該コミュニティへの参加要請を前記送信部は前記携帯通信端末に送信する（２）に記載のコミュニティ生成・登録システム。
【００１８】
（５）に記載の発明によれば、携帯通信端末の使用者の位置データログからあらかじめ定められた回数以上位置データログが記録されるスポットを抽出した場合は抽出部が抽出したスポットが関係するコミュニティが検索される。検索されると当該コミュニティへの参加要請が使用者に通知される。あらかじめ定められた回数以上位置データログが記録されることは、いわゆる常連であるのでこのような人がコミュニティに参加することが望ましいからである。また、コミュニティに自動的に参加させるように設定することも可能である。
【００１９】
（６）  前記サーバは、前記サーバ記憶部にはコミュニティと当該コミュニティに関連するスポットと当該コミュニティの参加者をさらに記憶し、前記参加者の記憶された前記位置データログから前記関連するスポットの設定された空間的範囲の内にあらかじめ定められた時間存在する回数を前記参加者の訪問回数として計数する訪問回数計数部と、前記訪問回数に関連するランキング設定部と、をさらに備えた（５）に記載のコミュニティ生成・登録システム。
【００２０】
（６）に記載の発明によれば、（５）の発明に加えて、参加者の訪問回数を計数する訪問回数計数部と、訪問回数に関連するランキング設定部と、が設けられている。したがって、訪問回数によってランキングを設定することが適切なコミュニティでは有益である。また、ランキングの高い人に何らかの特典や特権を与えることができる。例えば、そのコミュニティの対象とするスポットへの訪問回数に応じて仮想的なポイントを付与することや、そのポイント数がコミュニティ内でその人が発信した情報の信頼度の指標とすることもできる。さらに、ポイントの高い人が投稿した場合に、他の一般ユーザよりも目立つ部分に表示されるような特典でもよい。
【００２１】
（７）  前記携帯通信端末は、予め金額を記憶し該金額で購入できる電子マネー部と、前記電子マネー部で購入した商品・サービスを前記位置データログに関連付けて記憶する購入履歴部と、をさらに備え、前記サーバは、どこで何を買ったかに基づいて対象コミュニティを検索する購入履歴検索部をさらに備える（１）から（５）に記載のコミュニティ生成・登録システム。
【００２２】
（７）に記載の発明によれば、（１）から（５）に記載の発明に加えて、携帯通信端末は電子マネー部と、電子マネー部で購入した商品・サービスを位置データログに関連付けて記憶する購入履歴部と、を備えている。また、サーバは、どこで何を買ったかに基づいて対象コミュニティを検索する購入履歴検索部をさらに備える。したがって、携帯通信端末の使用者の購入動機に基づくコミュニティを検索しやすくなる。そのため、実生活に基づいたコミュニティに参加しやすくなり、参加することにより役立つ情報を得ることができる。例えば、朝食は六本木地下道のＸＹＺコンビニで購入するコミュニティなどである。
【００２３】
（８）  （２）に記載の携帯通信端末と通信可能なサーバであって、一定期間分の位置データログを受信する受信部と、受信された一定期間分の前記位置データログからあらかじめ定められた回数以上位置データログが記録されるスポットを抽出する抽出部と、前記抽出部が抽出したスポットが関係するコミュニティを検索する検索部と、受信された一定期間分の前記位置データログと前記検索部による検索結果をコミュニティの生成・登録に利用する生成・登録部と、を備えるサーバ。
【００２４】
（８）の発明は、（２）の発明に用いることができるサーバである。（２）で説明した投稿情報評価システムに用いることにより同様の作用効果がある。
【００２５】
（９）  前記検索部による検索結果、既存のコミュニティがない場合で、一定期間分の前記位置データログの近傍の地図上にコミュニティの対象となりえるスポットが存在する場合は、前記生成・登録部は当該スポットに関係するコミュニティをさらに生成する（８）に記載のサーバ。
【００２６】
（９）の発明は、（３）の発明に用いることができるサーバである。（３）で説明した投稿情報評価システムに用いることにより同様の作用効果がある。
【００２７】
（１０）  前記位置データログを記憶するサーバ記憶部と、前記携帯通信端末に送信する送信部と、をさらに備え、前記サーバ記憶部には、あらかじめ定められた期間の位置データログを記憶し、前記抽出部は記憶された前記位置データログからあらかじめ定められた回数以上位置データログが記録されるスポットを抽出し、前記検索部は前記抽出部が抽出したスポットが関係するコミュニティを検索し、当該コミュニティ（への参加要請）を前記送信部は前記携帯通信端末に送信する（８）に記載のサーバ。
【００２８】
（１０）の発明は、（５）の発明に用いることができるサーバである。（５）で説明した投稿情報評価システムに用いることにより同様の作用効果がある。
【００２９】
（１１）  前記サーバ記憶部にはコミュニティと当該コミュニティに関連するスポットと当該コミュニティの参加者をさらに記憶し、前記参加者の記憶された前記位置データログから前記関連するスポットの設定された空間的範囲の内にあらかじめ定められた時間存在する回数を前記参加者の訪問回数として計数する訪問回数計数部と、前記訪問回数に関連するランキング設定部と、をさらに備えた（１０）に記載のサーバ。
【００３０】
（１１）の発明は、（６）の発明に用いることができるサーバである。（６）で説明した投稿情報評価システムに用いることにより同様の作用効果がある。
【００３１】
（１２）  （７）に記載の携帯通信端末と通信可能なサーバであって、どこで何を買ったかに基づいて対象コミュニティを検索する購入履歴検索部をさらに備える（８）から（１１）に記載のサーバ。
【００３２】
（１２）の発明は、（７）の発明に用いることができるサーバである。（７）で説明した投稿情報評価システムに用いることにより同様の作用効果がある。
【００３３】
（１３）  携帯通信端末とサーバにより構成されたＷｅｂサイトにおいてコミュニティの生成・登録をするコミュニティ生成・登録方法であって、前記携帯通信端末は、前記携帯通信端末の位置する位置データを継続して取得する位置データログ取得ステップと、継続して取得した位置データログを送信する送信ステップと、を備え、前記サーバは、前記位置データログを受信する受信ステップと、受信した前記位置データログをコミュニティの生成・登録に利用する生成・登録ステップと、を備えるコミュニティのコミュニティ生成・登録方法。
【００３４】
（１４）  前記携帯通信端末には、一定期間分の前記位置データログを送信するステップと、前記サーバは、受信された一定期間分の前記位置データログからあらかじめ定められた回数以上位置データログが記録されるスポットを抽出する抽出ステップと、前記抽出部が抽出したスポットが関係するコミュニティを検索する検索ステップと、をさらに備える請求項１３に記載のコミュニティ生成・登録方法。
【００３５】
（１３）  （１４）の発明はコミュニティ生成・登録方法に関するものである。これらの方法を使うことにより、（１）（２）の説明と同様の作用効果を得ることができる。
【００３６】
（１５）  携帯通信端末とサーバにより構成されたＷｅｂサイトにおいてコミュニティの生成・登録をするコミュニティ生成・登録システムに使用される前記携帯通信端末用のプログラムであって、前記携帯通信端末に、前記携帯通信端末の位置する位置データを継続して取得する位置データログ取得ステップと、継続して取得した位置データログを送信する送信ステップと、を実行させるプログラム。
【００３７】
（１６）  携帯通信端末とサーバにより構成されたＷｅｂサイトにおいてコミュニティの生成・登録をするコミュニティ生成・登録システムに使用される前記サーバ用のコンピュータ・プログラムであって、前記サーバに、前記携帯通信端末より送信される位置データログを受信する受信ステップと、受信した前記位置データログをコミュニティの生成・登録に利用する生成・登録ステップと、を実行させるコンピュータ・プログラム。
【００３８】
（１５）と（１６）の発明は、プログラムに関するものである。これらのプログラムを
携帯通信端末、サーバに読み込ませて動作させることにより（１）の発明と同様な作用効果を得ることができる。
【発明の効果】
【００３９】
本発明によれば、位置データログによるコミュニティの生成・登録により、コミュニティの幅広い検索を容易にし、参加しやすいコミュニティの生成・登録をすることができる。したがって、自分の興味のあるコミュニティをキーワード等で検索して探さなければならなかったので、自分の興味のあるコミュニティについて、自分が把握している範囲内でしか検索したり生成したりすることができなかったのが、より広い範囲でコミュニティに生成したり、参加することができる。
【発明を実施するための最良の形態】
【００４０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００４１】
［第１の実施例］
図１は、本発明の好適な一実施形態であるシステム構成の概略を示した図である。図２は、本発明の概念とその概略の処理の流れを示した図である。図３は、本発明の好適な一実施形態の上記のシステムにおける処理の流れの詳細を示した図である。図４は、位置データログの一例を示す図である。図５は、本発明のスポットの地図上の分布の一例を示す図である。図６は、本発明の位置データログによるスポット抽出とコミュニティ名検索の例を示す図である。以下本発明について、図１から図６を参照して説明をする。
【００４２】
図１の実施形態において携帯通信端末１０は、複数のＧＰＳ衛星２０より位置検出のための電波を受信する。この図では、ＧＰＳ衛星２０は１個のみ示しているが、よく知られているように位置を特定するためには最低３個、通常は４個以上のＧＰＳ衛星２０からの電波を受信する必要がある。ＧＰＳ衛星２０から送られてくる電波には様々な軌道情報や原子時計による非常に精度の高い時刻データが含まれる。これらの情報から現在位置の緯度、経度などの扱いやすい位置データを得るには、携帯通信端末１０にＧＰＳ衛星２０の軌道情報から得られる付加情報を保持させ、複雑な測位演算を行わせる必要がある。そのため、通常は基地局３０で受信し公衆通信網４０を介して接続された位置データ取得サーバ６０がこれらの測位演算を行い、得られた結果を位置データ（緯度、経度、可能であれば高度など）として携帯通信端末１０に送信する方法が用いられる。なお、携帯通信端末１０で測位演算を行うこともできる。
【００４３】
携帯通信端末１０は、このようにして位置データログ取得手段によって得られた緯度、経度などの自らの位置データログをＷｅｂサーバ７０に送信する。携帯通信端末１０は、図１に示すように携帯電話機であっても良いし、ＧＰＳ機能を備えるノートパソコンであってもよい。携帯通信端末１０は、携帯通信端末の位置する位置データを継続して取得する位置データログ取得部と、継続して取得した位置データログを送信する送信部とを備えている。これらの具体的な構成については、携帯電話機の例については図１２で詳細に後述する。
【００４４】
Ｗｅｂサーバ７０とコミュニティ管理サーバ８０とデータベースサーバ９０は、ネットワーク５０で接続されている。これらのサーバは位置データログを受信する受信部と、受信した位置データログをコミュニティの生成・登録に利用する生成・登録部とが備えられている。なお、上記のコミュニティ管理サーバ８０とデータベースサーバ９０は、単独のサーバであっても複数のサーバから構成されてよいし、Ｗｅｂサーバ７０に含まれてもよい。Ｗｅｂサーバ７０とコミュニティ管理サーバ８０とデータベースサーバ９０のハードウェアの具体例については図１１で詳細に後述する。
【００４５】
図２は、本発明の概念とその概略処理の流れを示した図である。図２に示すように、携帯通信端末１０のＩＤ（Ｉｄｅｎｔｉｆｉｃａｔｉｏｎ）と位置データログ取得部により取得した位置データログを送信部によりＷｅｂサーバ７０に送信する。Ｗｅｂサーバ７０はデータベースサーバ９０にその位置データログをＩＤをキーにして登録を依頼する。データベースサーバ９０は位置データログの登録完了をＷｅｂサーバ７０に通知する。Ｗｅｂサーバ７０はコミュニティ管理サーバ８０に登録されたＩＤと位置データログを送信して自動参加できるコミュニティを登録依頼する。コミュニティ管理サーバ８０はＩＤと位置データログに基づいて自動参加できるコミュニティを登録する。登録したコミュニティ郡をコミュニティ管理サーバ８０はＷｅｂサーバ７０に通知する。Ｗｅｂサーバ７０は携帯通信端末１０に自動参加できるコミュニティ群の登録完了を通知する。
【００４６】
なお、参加できるコミュニティを検索依頼して検索結果の通知をうけ希望するコミュニティに参加することもできる。図３は、本発明の好適な一実施形態の上記のシステムにおける処理の流れの詳細を示した図であり、この場合の実施例について説明する。
【００４７】
まず、情報通信端末１０は、定期的またはユーザ操作により位置データ取得サーバ６０に測位情報要求（位置データ要求）を送信する。この測位情報要求の中には、電波を受信したＧＰＳ衛星情報（全ＧＰＳ衛星のおおざっぱな軌道情報である「アルマナック」やＧＰＳ衛星自身の正確な軌道情報である「エフェメリス」が含まれる）の他、周辺基準局（周辺の基地局のうち基準となる局）の情報を含んでもよい。
【００４８】
位置データ取得サーバ６０は、この受信した情報を基に測位演算を行い（ステップＳ１０）、測位結果（経度、緯度、場合によっては高度、信頼度などのデータも取得可能である）を返信する。あるいは、図示していないが、位置データ取得サーバ６０が、測位演算を行わず、情報通信端末１０が測位演算を行い易くするために、最寄りの基地局からの情報などを用いて測位をし易くするための「アシストデータ」を情報通信端末１０に送信するようにし、情報通信端末１０で測位演算を行うようにしてもよい。
【００４９】
情報通信端末１０は、このようにして得られた位置データログを生成し（ステップＳ２０）、生成した端末位置データログとＩＤとをＷｅｂサーバ７０に送信する。図４は、位置データログの一例を示す図である。図４に示すように、位置データログは日時データと位置データが関連したデータの履歴である。図４に示すように連続的にデータを取得しても良いし、一定時間おきにサンプリングで位置データである緯度、経度、場合によっては高度を取得してもよい。Ｗｅｂサーバ７０は、送信されたこれらのデータを受信して、データベースサーバ９０にＩＤをキーに位置データログを登録するために転送する。データベースサーバ９０は位置データログを記憶する（Ｓ３０）。記憶後データベースサーバ９０はＷｅｂサーバ７０に登録完了を通知する。
【００５０】
その後、Ｗｅｂサーバ７０は、スポット抽出を行う（Ｓ４０）。スポット抽出とは、Ｗｅｂサーバ７０に備えられた抽出部により、受信された一定期間分の位置データログからあらかじめ定められた回数以上位置データログが記録されるスポットを抽出することである。この抽出の具体例を図５と図６により説明する。
【００５１】
図５は、スポットの地図上の分布の一例を示す図であり、図６は、本発明の位置データログによるスポット抽出とコミュニティ名検索の例を示す図である。図５に示すような数々のスポットがある場所をある携帯通信端末１０の使用者が行き来する。行き来すると図４に示すような位置データログが一定期間分蓄積される。
【００５２】
一定期間分蓄積された位置データログを、Ｗｅｂサーバ７０に備えられた抽出部により抽出する。図６の例に示すように、位置データごとに抽出された回数が数えられる。図６の例ではＮｏ．３の位置データのスポットの回数が７回で一番多く次がＮｏ．２の５回である。あらかじめ定められた回数を３回とすると３回以上のＮｏ．１「Ｉ美術館」、Ｎｏ．２「ＸＹＺコンビニ」、Ｎｏ．３「ＡＢＣスポーツクラブ」、Ｎｏ．４「クラブＨＡＲ」の位置データのスポットが抽出される。
【００５３】
抽出されたスポットに基づくコミュニティ検索がＷｅｂサーバ７０よりコミュニティ管理サーバ８０に要求される。コミュニティ管理サーバ８０の検索部は、スポットが関係するコミュニティ群を検索する（Ｓ５０）。図６の例ではスポット「Ｉ美術館」、「ＸＹＺコンビニ」、「ＡＢＣスポーツクラブ」、「クラブＨＡＲ」に対してコミュニティ「シャガール」、「六本木地下道」、「フィットネス」、が検索される。しかし、スポット「クラブＨＡＲ」に対応するコミュニティは検索されない。まだ、コミュニティが生成されていないと考えられる。
【００５４】
検索されると検索コミュニティ群の通知がコミュニティ管理サーバ８０からＷｅｂサーバ７０に通知される。Ｗｅｂサーバ７０は検索コミュニティ群の通知を携帯通信端末１０に転送する。これを見て、携帯通信端末１０の使用者は興味のあるコミュニティに参加登録の依頼を携帯通信端末１０に入力し、携帯通信端末１０はＷｅｂサーバ７０を経由してコミュニティ管理サーバ８０に送信する。コミュニティ管理サーバ８０は参加登録し（Ｓ６０）、参加登録完了通知をＷｅｂサーバ７０経由で携帯通信端末１０に返信する。
【００５５】
この様にして、位置データログにより、コミュニティの幅広い検索を容易にし、コミュニティへの参加登録をしやすくすることができる。したがって、興味のあるコミュニティをキーワード等で検索して探さなければならなかったので、自分の興味のあるコミュニティについて、自分が把握している範囲内でしか検索したり生成したりすることができなかったのが、より広い範囲でコミュニティに生成したり、参加することができる。
【００５６】
［第２の実施例］
第２の実施例は検索部による検索結果、既存のコミュニティがない場合で、一定期間分の位置データログの近傍の地図上にコミュニティの対象となりえるスポットが存在する場合は、当該スポットに関係するコミュニティをさらに生成するものである。
【００５７】
上記の図６の説明で記載したように、スポット「クラブＨＡＲ」に対応するコミュニティはまだ生成されていない。このような場合に適切なコミュニティを生成するものである。具体的には、地図上のスポット「クラブＨＡＲ」の名前より中高年の人が行くと考えられる。この場合にそれにあったコミュニティの名称をデータベースサーバ９０に記憶されているコミュニティの予想名称データベースから呼び出し仮の名前をつける。例えば「熟年クラブ」である。
【００５８】
また、一定期間分の位置データログの近傍の地図上にコミュニティの対象となりえるスポットが存在する場合に当該スポットに関係するコミュニティをさらに生成することもできる。この例を図７に示す。図７は、本発明のコミュニティ生成の一例を示す図である。
【００５９】
図７は、本発明のコミュニティ生成の一例を示す図である。図４に示すように、位置データログのＮｏ．５とＮｏ．６にはスポットとして「公園」、「Ｇ練習場」がある。このスポットについてもデータベースサーバ９０に記憶されているコミュニティの予想名称データベースから呼び出し仮の名前をつける。例えば、「太極拳Ｇ」と「ゴルフ大好き」である。
【００６０】
また、使用者がコミュニティの対象としたいスポットの空間的範囲を設定できる範囲設定手段を携帯通信端末１０に備え、位置データログが設定された空間的範囲の内にあらかじめ定められた時間存在する回数を使用者の訪問回数とすることもできる。図８は、本発明のスポットの空間的範囲設定の一例を示す図である。図８に示すように、スポット「Ｉ美術館」の場合は、緯度、経度の範囲をＷＸ１、ＷＹ１と設定して「Ｉ美術館」の中心の位置データよりこの値のプラス・マイナスの範囲を設定することができる。同様にスポット「公園」は範囲が広いのでそれに合ったＷＸ５、ＷＹ５を設定することができる。なお、範囲設定は地図上の画面にある範囲を描く方法で設定することでも良い。
【００６１】
このように生成することにより参加できるコミュニティの数が豊富になる。その結果、Ｗｅｂを介しての交友関係が活発になり個人にとっても活動の範囲が広がる。
【００６２】
［第３の実施例］
第３の実施例は、参加者の記憶された位置データログからスポット訪問回数を計数し、訪問回数に関連して参加者のランキングを設定する。
【００６３】
図９は、本発明の訪問回数からコミュニティにおけるランキング設定の一例を示す図である。図９に示すように、各スポットにはいろいろなコミュニティが成立している。コミュニティの中でメールをやり取りしたり会話をしたりする場合に、コミュニティに関連するスポットの訪問回数が分かれば、この人のメールや会話がどの程度信用できるかが分かる。また、コミュニティに入れ込んでいる様子も分かる。
【００６４】
サーバ記憶部であるコミュニティ管理記憶部８０ａにはコミュニティと当該コミュニティに関連するスポットと当該コミュニティの参加者をさらに記憶する。参加者の位置データログはデーベースサーバ９０ａに記憶されている。この位置データログから関連するスポットの設定された空間的範囲の内にあらかじめ定められた時間存在する回数を参加者の訪問回数として計数する訪問回数計数部と、訪問回数に関連するランキング設定部とをコミュニティ管理サーバ８０に設ける。訪問回数計数部とランキング設定部とは、後述する図１１のサーバ１００のハードウェアにて光ディスク１０７７から読み込まれてハードディスク１０７４に記憶され、必要な場合に読み出されて動作するソフトウェアにより実現することができる。
【００６５】
訪問回数計数部によって、図９に示すようにコミュニティのメンバーＡ、Ｂ、Ｃ、Ｄの各スポットへの訪問回数が計数される。この計数された訪問回数のデータよりメンバーＡ、Ｂ、Ｃ、Ｄのランキングがランキング設定部により設定される。このようなランキングを各メンバーが閲覧することによって、各メンバーの会話、またはメールなどを読む上で参考になる。なお、訪問回数は個人の情報であるので、他人に知られたくない場合は非公開とすることもできる。
【００６６】
なお、訪問回数は個人の情報であるので、他人に知られたくない場合は非公開とすることもできる。一方で、各コミュニティではランキングの高い人に特典を与えたり特権を与えることもできる。例えば、そのコミュニティの対象とするスポットへの訪問回数に応じて仮想的なポイントを付与することや、そのポイント数をコミュニティ内でその人が発信した情報の信頼度の指標とすることもできる。さらに、ポイントの高い人が投稿した場合に、他の一般ユーザよりも目立つ部分に表示されるような特典でもよい。
【００６７】
［第４の実施例］
第４の実施例は、電子マネー部で購入した商品・サービスを位置データログに関連付けて記憶し、どこで何を買ったかに基づいて対象コミュニティを検索する。
【００６８】
図１０は、本発明の電子マネー部の購入履歴部から対象コミュニティ検索の一例を示す図である。図１の携帯通信端末１０は、予め金額を記憶し該金額で購入できる電子マネー部と、電子マネー部で購入した商品・サービスを位置データログに関連つけて記憶する購入履歴部と、をさらに備える。電子マネー部と購入履歴部は、後述の図１１の携帯電話機２００のハードウェアに必要なソフトウェアを記憶部２４０に記憶され、必要な場合に制御部２３０により動作させることのより実現することができる。また、コミュニティ管理・サーバ８０は、どこで何を買ったかに基づいて対象コミュニティを検索する購入履歴検索部をさらに備える。購入履歴検索部は、後述のサーバ１００のハードウェアにて光ディスク１０７７から読み込まれてハードディスク１０７４に記憶され、必要な場合に読み出されて動作するソフトウェアにより実現することができる。
【００６９】
図１０に示すように、ある個人がコンビニＡに１０回訪問したとする。購入履歴部はそのうち朝食を買った回数が８回で、パンを買った回数が１回であることを示す。これから、この人はコンビニＡでほとんどいつも朝食を買うことが判る。このデータから購入履歴検索部により対象コミュニティを検索するとコミュニティ「六本木地下道」が検索される。これから、この人はコミュニティ「六本木地下道」に参加することができることがわかる。また、デパートＣに訪問した内容から、赤シャツを５回買っていることが判る。一方白シャツは１回である。これから、この人は赤シャツが好きなことが判る。そのデータから購入履歴検索部により対象コミュニティを検索するとコミュニティ「赤シャツ」が検索される。
【００７０】
このように、電子マネーが普及しつつある。このような状況から、個人の購入履歴を参考にして対象コミュニティを検索することができる。
【００７１】
［サーバのハードウェア構成］
図１１は、図１で説明したＷｅｂサーバ７０、コミュニティ管理サーバ８０、データベースサーバ９０のハードウェア構成の一例を示す図である。Ｗｅｂサーバ７０、コミュニティ管理サーバ８０、データベースサーバ９０は、サーバ１００を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２など複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ／Ｏｕｔｐｕｔ  Ｓｙｓｔｅｍ）１０６０、ＵＳＢポート１０９０、Ｉ／Ｏコントローラ１０７０、ならびにキーボードおよびマウス１１００等の入力手段や表示装置１０２２を備える。
【００７２】
Ｉ／Ｏコントローラ１０７０には、テープドライブ１０７２、ハードディスク１０７４、光ディスクドライブ１０７６、半導体メモリ１０７８、等の記憶手段を接続することができる。
【００７３】
ＢＩＯＳ１０６０は、Ｗｅｂサーバ７０、コミュニティ管理サーバ８０、データベースサーバ９０の起動時にＣＰＵ１０１０が実行するブートプログラムや、Ｗｅｂサーバ７０、コミュニティ管理サーバ８０、データベースサーバ９０のハードウェアに依存するプログラム等を格納する。
【００７４】
記憶部を構成するハードディスク１０７４は、Ｗｅｂサーバ７０、コミュニティ管理サーバ８０、データベースサーバ９０がサーバとして機能するための各種プログラムおよび本発明の機能を実行するプログラムを記憶しており、さらに必要に応じて各種データベースを構成可能である。
【００７５】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラムまたはデータを読み取り、Ｉ／Ｏコントローラ１０７０を介してメインメモリ１０５０またはハードディスク１０７４に提供することもできる。
【００７６】
Ｗｅｂサーバ７０、コミュニティ管理サーバ８０、データベースサーバ９０に提供されるプログラムは、ハードディスク１０７４、光ディスク１０７７、またはメモリーカード等の記録媒体に格納されて提供される。このプログラムは、Ｉ／Ｏコントローラ１０７０を介して、記録媒体から読み出され、または通信Ｉ／Ｆ１０４０を介してダウンロードされることによって、Ｗｅｂサーバ７０、コミュニティ管理サーバ８０、データベースサーバ９０にインストールされ実行されてもよい。
【００７７】
前述のプログラムは、内部または外部の記憶媒体に格納されてもよい。ここで、記憶部２４０を構成する記憶媒体としては、ハードディスク１０７４、光ディスク１０７７、またはメモリーカードの他に、ＭＤ等の光磁気記録媒体、テープ媒体を用いることができる。また、専用通信回線やインターネットに接続されたサーバシステムに設けたハードディスク１０７４または光ディスクライブラリ等の記憶装置を記録媒体として使用し、プログラムを通信回線を介してＷｅｂサーバ７０、コミュニティ管理サーバ８０、データベースサーバ９０に提供してもよい。
【００７８】
ここで、表示装置１０２２は、ユーザにデータの入力を受け付ける画面を表示したり、サーバ１００による演算処理結果を表示したりするものであり、ブラウン管表示装置（ＣＲＴ）、液晶表示装置（ＬＣＤ）等のディスプレイ装置を含む。
【００７９】
ここで、入力手段は、ユーザによる入力の受付を行うものであり、キーボードおよびマウス１１００等により構成してよい。
【００８０】
また、通信Ｉ／Ｆ１０４０は、サーバ１００を専用ネットワークまたは公共ネットワークを介して携帯通信端末１０と接続できるようにするためのネットワーク・アダプタである。通信Ｉ／Ｆ１０４０は、モデム、ケーブル・モデムおよびイーサネット（登録商標）・アダプタを含んでよい。
【００８１】
図１２は、本明細書で説明した携帯通信端末１０の典型的な例として、携帯電話機２００のハードウェア構成の一例を示した図である。携帯電話機２００は、ＧＰＳ用受信アンテナ２１０、ＧＰＳ受信部２１２、通信用アンテナ２２０、携帯電話送受信制御部２２２、制御部２３０、記憶部２４０、表示部２５０、操作部２６０、通話部２７０、マイク２７２、スピーカ２７４、および計時部２８０で構成される。
【００８２】
ここでは、位置データ検出部として、ＧＰＳ用受信アンテナ２１０とＧＰＳ受信部２１２を備えている。ＧＰＳ用受信アンテナ２１０は、通信用アンテナ２２０と兼用にしてもよい。なお、ＰＨＳ携帯電話機では、最寄りの複数の基地局から電波を受信することにより位置データ検出部として使用できるがここでは説明を省略する。
【００８３】
制御部２３０は、記憶部２４０にＧＰＳ衛星からの受信信号を記憶し、携帯電話送受信制御部２２２を介して、自らの位置データを得るため、位置データ取得サーバ（測位サーバとも呼ばれる）に緯度、経度などの測位データ（位置データ）の測位演算を要求する。あるいは、位置データ取得サーバからは即位演算を補助するアシストデータを受信し、携帯電話機２００で測位演算を行ってもよい。
【００８４】
さらに、携帯電話機２００には、一般的には、ユーザからの操作を受け付ける操作部２６０、液晶画面やＬＥＤなどの表示部２５０、音声通話のためのマイク２７２やスピーカ２７４を備えた通話部２７０、および現在のおおよその時刻を刻む計時部２８０が含まれる。
【００８５】
以上の例は、コミュニティ生成・登録システムについて主に説明したが、コンピュータに、プログラムをインストールして、そのコンピュータをサーバとして動作させることにより上記で説明した機能を実現することができる。したがって、本発明において一実施形態として説明したコミュニティ生成・登録システムは、携帯通信端末、サーバおよび方法によっても実現可能である。
【００８６】
以上、本発明を実施形態、および実施例を用いて説明したが、本発明の技術的範囲は上記実施形態に記載の範囲に限定されない。上記実施形態に、多様な変更または改良を加えることが可能である。また、そのような変更または改良を加えた形態も本発明の技術的範囲に含まれ得ることが、特許請求の範囲の記載から明らかである。例えば、位置データ取得部はＧＰＳによって説明したが、ＰＨＳ基地局網を利用した位置データ取得部にても同様に実現することができる。
【図面の簡単な説明】
【００８７】
【図１】本発明の好適な一実施形態であるシステム構成の概略を示した図である。
【図２】本発明の概念とその概略の処理の流れを示した図である。
【図３】本発明の好適な一実施形態の上記のシステムにおける処理の流れの詳細を示した図である。
【図４】位置データログの一例を示す図である。
【図５】スポットの地図上の分布の一例を示す図である。
【図６】本発明の位置データログによるスポット抽出とコミュニティ名検索の例を示す図である。
【図７】本発明のコミュニティ生成の一例を示す図である。
【図８】本発明のスポットの空間的範囲設定の一例を示す図である。
【図９】本発明の訪問回数からコミュニティにおけるランキング設定の一例を示す図である。
【図１０】本発明の電子マネー部の購入履歴部から対象コミュニティ検索の一例を示す図である。
【図１１】サーバのハードウェア構成の一例を示す図である。
【図１２】携帯通信端末の典型的な例として、携帯電話機のハードウェア構成の一例を示した図である。
【符号の説明】
【００８８】
１０  携帯通信端末
４０  公衆通信網
６０  位置データ取得サーバ
７０  Ｗｅｂサーバ
８０  コミュニティ管理サーバ
９０  データベースサーバ
【図１】
2007306409.tif 000003
【図２】
2007306409.tif 000004
【図３】
2007306409.tif 000005
【図４】
2007306409.tif 000006
【図５】
2007306409.tif 000007
【図６】
2007306409.tif 000008
【図７】
2007306409.tif 000009
【図８】
2007306409.tif 000010
【図９】
2007306409.tif 000011
【図１０】
2007306409.tif 000012
【図１１】
2007306409.tif 000013
【図１２】
2007306409.tif 000014